(57)【特許請求の範囲】
【請求項１】
ベッド室内に置かれたベッドの側方側であって、前記ベッドの隣に配置されるガイドと、
前記ガイドに支持される配管及び配線の少なくとも一方である被ガイド体と、
前記ガイドを前記ベッド室内に固定する固定手段と、
を備え、
前記ガイドが、前記被ガイド体を通す案内路を有し、
前記ベッド室内の壁面に対して交差する方向に延びるパネルの一部を前記ガイドが構成し、
前記固定手段は、前記壁面に対して前記パネルの一方の側部を固定する固定部材を含み、
前記固定手段がさらに、前記ベッド室の天井及び床面間に架設されて前記パネルの他方の側部を支持する支柱を備えることを特徴とする構造物。
【請求項２】
前記ガイドは、前記ベッドの側方側に配置された仕切りに設けられており、
前記ベッドは、前記ベッド室内の内壁面と対向して配置され、
前記内壁面と反対側の第１箇所で、前記被ガイド体を前記ガイドから取り出せることを特徴とする請求項１記載の構造物。
【請求項３】
前記ガイドは第１ガイドと第２ガイドを含み、
前記第１ガイドは第１仕切りに設けられ、前記第２ガイドは第２仕切りに設けられ、前記第１仕切りと前記第２仕切りは前記内壁面を介して対向して配置されることを特徴とする請求項２記載の構造物。
【請求項４】
前記パネルの、前記ベッドに面した第１の側面と、同第１の側面の裏面である第２の側面のうち、少なくとも前記第１の側面に、前記案内路に通ずる開口が設けられていることを特徴とする請求項１〜請求項３のいずれか１項に記載の構造物。
【請求項５】
前記開口を開閉する蓋体をさらに備えることを特徴とする請求項４に記載の構造物。
【請求項６】
前記蓋体に、前記被ガイド体が通過する通過路が設けられていることを特徴とする請求項５に記載の構造物。
【請求項７】
前記通過路が複数個設けられていることを特徴とする請求項６に記載の構造物。
【請求項８】
前記パネル内の、前記固定部材及び前記支柱間の位置に配置され、前記固定部材及び前記支柱と共に前記パネルを支持する補強支柱をさらに備えることを特徴とする請求項１〜請求項６のいずれか１項に記載の構造物。
【請求項９】
前記パネル内でかつ前記補強支柱の側方の位置に、前記案内路の一部が設けられていることを特徴とする請求項８に記載の構造物。
【発明の詳細な説明】
【技術分野】
【０００１】
本発明は、簡易構造物及び医療設備に関する。
【背景技術】
【０００２】
従来から、例えば下記特許文献１に記載された病室のような、ベッドが収容されたベッド室では、酸素をはじめとする医療ガス等が、ベッド上の使用者に対して供給される。この種の気体や液体のような流体、電力及び電気信号などは、ベッド室の壁面から延びる配管や配線を通して使用者や各種機器に供給される。
【先行技術文献】
【特許文献】
【０００３】
【特許文献１】特開２０００−１１６７２５号公報
【発明の概要】
【発明が解決しようとする課題】
【０００４】
しかしながら、前記従来のベッド室では、配管や配線などの被ガイド体のレイアウトの自由度を高めることについて改善の余地がある。
【０００５】
本発明は、前述した事情に鑑みてなされたものであって、被ガイド体のレイアウトの自由度を向上させることを目的とする。
【課題を解決するための手段】
【０００６】
前記課題を解決するために、本発明は以下の手段を提案している。
（１）本発明に係る簡易構造物は、ベッド室内に置かれたベッドの側方に隣接配置され、配管及び配線の少なくとも一方である被ガイド体を案内支持するガイドと；前記ガイドを前記ベッド室内に固定する固定手段と；を備えていることを特徴とする。
【０００７】
この場合、ベッド室の壁面から延びる被ガイド体を、ガイドによって案内支持することが可能になり、被ガイド体の位置を、ベッドの側方において自由度高く設定することができる。これにより、被ガイド体が接続される各種機器（例えば医療機器など）を、ベッドの側方において任意の位置に配置し易くすることができる。その結果、例えば、ベッドの使用者に対して医療行為を実施する医師や看護師などの作業者の作業性を向上させることができる。
すなわち、被ガイド体や機器が、例えば、ベッドと、ベッド室の壁面のうち、天井と床面とを接続する内壁面と、の間に集中して配置されてしまう場合には、作業者が、ベッドと内壁面との間で作業したり、この間を通過したりするときに、被ガイド体や機器が作業者の邪魔になり、作業者による作業がスムーズに実施し難くなるおそれがある。
これに対して、この簡易構造物のように、被ガイド体や機器を、ベッドの側方において任意の位置に配置し易くすることができる場合には、被ガイド体や機器を、ベッドと内壁面との間以外の位置にも、自由に配置したり移動したりすることができる。
また、この簡易構造物では、ガイドが、ベッドの側方に隣接配置されているので、被ガイド体を、ベッド室の床面に露出させることなく案内支持することができる。したがって、例えば医療の分野など、床面が汚染され易いベッド室においても、この簡易構造物を好適に適用することができる。
さらに、この簡易構造物では、ガイドを固定手段によってベッド室内に固定すればよく、被ガイド体のレイアウトの自由度を高めつつも施工性を確保し、簡易構造物を短期間で設置し易くすることができる。したがって、例えば医療、介護の分野において、特に集中治療室などに代表されるように長期間にわたってベッド室の使用を停止することが困難な状況であっても、この簡易構造物を導入することができる。
【０００８】
（２）前記ガイドが、前記被ガイド体を通す案内路を有すると共に、前記ベッド室内の空間を区画するパネルの少なくとも一部を構成していてもよい。
【０００９】
この場合、ガイドがパネルの少なくとも一部を構成しているので、ベッド室を仕切るパネル内に、被ガイド体を挿通させることができる。したがって、例えば、ガイドとパネルとを別々に設ける場合に比べて、省スペース化及び施工性の向上を図ることができる。
【００１０】
（３）前記パネルの、前記ベッドに面した第１の側面と、同第１の側面の裏面である第２の側面のうち、少なくとも前記第１の側面に、前記案内路に通ずる開口が設けられていてもよい。
【００１１】
この場合、パネルの少なくとも第１の側面に、案内路に通ずる開口が設けられている。したがって、この簡易構造物をベッド室内に設置した後であっても、簡易構造物を分解することなく、被ガイド体を案内路内に、開口を通して外側から挿入して被ガイド体を増設すること等が可能になり、施工性を確保することができる。
【００１２】
（４）前記開口を開閉する蓋体をさらに備えていてもよい。
【００１３】
この場合、蓋体が開口を開閉するので、開口を開放しておく必要がない場合には、案内路内を蓋体により閉塞しておくことが可能になり、例えば、案内路内の意図せぬ汚染を抑制すること等ができる。
【００１４】
（５）前記蓋体に、前記被ガイド体が通過する通過路が設けられていてもよい。
【００１５】
この場合、蓋体に通過路が設けられているので、蓋体を完全に開放せずに被ガイド体の大部分を蓋体によって被覆した状態を維持したまま、案内路内の被ガイド体を蓋体の外部に直接、引き出すことができる。これにより、被ガイド体の意図せぬ汚染を確実に抑制することができる。
【００１６】
（６）前記固定手段が、前記ベッド室内の壁面に対して前記パネルの一方の側部を固定する固定部材と；前記ベッド室の天井及び床面間に架設されて前記パネルの他方の側部を支持する支柱と；を備えてもよい。
【００１７】
この場合、パネルの両側部が、固定部材及び支柱に固定されているので、パネルを安定して支持することができる。
【００１８】
（７）前記パネル内の、前記固定部材及び前記支柱間の位置に配置され、前記固定部材及び前記支柱と共に前記パネルを支持する補強支柱をさらに備えてもよい。
【００１９】
この場合、補強支柱がパネルを支持しているので、パネルを一層安定して支持することができる。
【００２０】
（８）前記パネルの内部でかつ前記補強支柱の側方の位置に、前記案内路の一部が設けられていてもよい。
【００２１】
この場合、パネルの内部で補強支柱の側方の位置に案内路の一部が設けられている。したがって、補強支柱が設けられているパネルであっても、被ガイド体が案内路を通過することを、補強支柱によって阻害されるのを抑制することが可能になり、被ガイド体のレイアウトの自由度を確実に高めることができる。
【００２２】
（９）前記補強支柱の内部に、前記案内路の一部が設けられていてもよい。
【００２３】
この場合、補強支柱の内部に案内路の一部が設けられている。したがって、補強支柱が設けられているパネルであっても、被ガイド体が案内路を通過することを、補強支柱によって阻害されるのを抑制することが可能になり、被ガイド体のレイアウトの自由度を確実に高めることができる。
【００２４】
（１０）前記パネルに、前記パネルから前記被ガイド体が離間する方向に張り出させた状態で前記被ガイド体を支持するアームを更に備えてもよい。
【００２５】
この場合、パネルにアームが設けられているので、ガイドにより案内支持された被ガイド体を、アームによって水平方位に張り出させた状態で支持することが可能になり、被ガイド体のレイアウトの自由度を一層高めることができる。
【００２６】
（１１）本発明に係る医療設備は、ベッド室内に置かれたベッドと、前記簡易構造物と、を備え、前記ベッド室の壁面から延びる前記被ガイド体が、前記ガイドによって案内支持されていることを特徴とする。
【発明の効果】
【００２７】
本発明によれば、被ガイド体のレイアウトの自由度を向上させることができる。
【図面の簡単な説明】
【００２８】
【図１】本発明の第１実施形態に係る簡易構造物が設置されたベッド室を示す斜視図である。
【図２】図１に示す簡易構造物を構成するガイド及びアームレールの要部の斜視図である。
【図３】図１に示すベッド室を示す平面図である。
【図４】従来のベッド室を示す平面図である。
【図５】本発明の第２実施形態に係る簡易構造物が設置されたベッド室を示す平面図である。
【図６】本発明の第３実施形態に係る簡易構造物が設置されたベッド室を示す平面図である。
【発明を実施するための形態】
【００２９】
（第１実施形態）
以下、図１から図３を参照し、本発明の第１実施形態に係る簡易構造物１０を説明する。
図１から図３に示すように、簡易構造物１０は、例えば医療、介護分野における病室や寝室などのベッド室４０（特に、医療機器の数が多い集中治療室）に好適に設置され、ベッド室４０に設置されるベッド４５とともに医療設備を構成する。ベッド室４０の壁面は、図示しない天井及び床面４２と、これらの天井及び床面４２を鉛直方向Ｚに接続する内壁面４３と、を備えている。
【００３０】
ベッド室４０には、被ガイド体４４が設けられている。被ガイド体４４は、配管及び配線の少なくとも一方である。配管は、気体や液体などの流体を移送し、配線は、電力や電気信号などを伝達する。被ガイド体４４は、ベッド室４０の壁面からベッド室４０内に延びている。被ガイド体４４は、例えば、ベッド室４０の外部から内部に壁面を通して連続して延びていてもよく、ベッド室４０の壁面に設けられた接続口に着脱可能に装着されていてもよい。
【００３１】
ベッド室４０には、ベッド４５が収容される。図３に示すように、ベッド４５の長手方向Ｘ（以下、「長手方向Ｘ」という。）は、ベッド室４０の平面視において内壁面４３に対して直交する方向に沿っていて、ベッド４５と内壁面４３とは、長手方向Ｘに対向している。ベッド４５のうち、ベッド４５上に使用者Ｐ１が横臥した状態で使用者Ｐ１の頭部が位置する部分であるベッド頭部４５ａは、長手方向Ｘに沿って、反内壁面側ではなく内壁面４３側に配置されている。
【００３２】
図１及び図３に示すように、簡易構造物１０は、固定手段１１と、固定手段１１によってベッド室４０内に固定されるパネル１２と、を備えている。
固定手段１１は、支柱１３（本支柱）と、固定部材１４（予備支柱）と、を備えている。支柱１３及び固定部材１４は、いずれも鉛直方向Ｚに延びる中空の柱状に形成されていて、ベッド室４０の天井及び床面４２の間に架設されている。図示の例では、支柱１３及び固定部材１４は、いずれも横断面視が矩形状をなす四角柱状に形成され、支柱１３及び固定部材１４それぞれの鉛直方向Ｚの両端部は、図示しないアンカーボルトを介してベッド室４０の天井及び床面４２に各別に固定されている。支柱１３は、ベッド室４０の内壁面４３から長手方向Ｘに離間して配置されている。固定部材１４は、内壁面４３に接触しながら鉛直方向Ｚに延びている。
【００３３】
パネル１２は、ベッド４５の側方に隣接配置されるとともに長手方向Ｘに延びていて、支柱１３と内壁面４３との間に、固定部材１４を介して架設されている。パネル１２の一方の側部（長手方向Ｘの端部）は固定部材１４を介してベッド室４０の壁面に固定され、他方の側部は支柱１３に固定されている。
パネル１２は、仕切り壁として、ベッド室４０を区画する。パネル１２は、ベッド室４０を、ベッド室４０の平面視において長手方向Ｘに直交する方向（以下、「区画方向Ｙ」という。）に区画する。
【００３４】
パネル１２は、下部パネル１５と、窓部１６と、ガイド１７と、アームレール１８と、上部パネル１９と、により構成されていて、下側から上側に向けてこの順に配置されている。
下部パネル１５及び上部パネル１９は、板状のパネル材が区画方向Ｙに間隔をあけて一対配置されてなる。上部パネル１９には、照明２１が設けられている。照明２１は、上方に向けて光線を照射する間接照明となっている。
【００３５】
窓部１６は、区画方向Ｙに間隔をあけて配置された一対の透過部材２２と、これらの両透過部材２２の間に配置された図示しないスクリーンと、を備えている。透過部材２２は、例えばガラス等により板状に形成されている。スクリーンは、例えばブラインド等により形成される。スクリーンは、図示しない操作部を操作することで、パネル１２を挟んで区画方向Ｙの反対側に位置する空間（以下、「個別空間４６」という）を、透過部材２２を通して視認可能な状態と視認不能な状態とを切り替える。
【００３６】
ガイド１７は、固定手段１１を介してベッド室４０の壁面に固定されていて、図２に示すように、被ガイド体４４を案内支持する。ガイド１７には、案内路２４と、ガイド開口２５（開口）と、が設けられている。案内路２４は、ガイド１７の内部により形成されていて、被ガイド体４４を挿通させる。ガイド開口２５は、案内路２４に通じていて、案内路２４を区画方向Ｙに向けて開口させる。ガイド開口２５は、パネル１２において、ベッド４５に面する第１の側面に設けられていて、案内路２４をベッド４５に向けて開口させる。なおガイド開口２５は、前記第１の側面だけでなく、第１の側面の裏面である第２の側面にも設けられていてもよい。つまり、ガイド開口２５をパネル１２の両側面のうちの少なくとも第１の側面に設けることが可能である。
【００３７】
案内路２４及びガイド開口２５は、いずれもガイド１７における長手方向Ｘの全長にわたって延びていて、ガイド１７は、長手方向Ｘに直交する横断面視において、区画方向Ｙに開口するＣ字状に形成されている。
ガイド１７には、ガイド開口２５を開閉する蓋体２６が更に設けられている。蓋体２６は、ガイド開口２５と同等の大きさの板状に形成されている。蓋体２６の上端部は、ガイド１７の開口周縁部にヒンジ２６ａを介して連結されていて、蓋体２６は、ヒンジ２６ａ回りに上側に向けて回動することで、ガイド開口２５を開放する。
【００３８】
図１に示すように、蓋体２６には、被ガイド体４４が通過する通過路２７が設けられている。図示の例では、通過路２７は、蓋体２６を貫通する貫通孔により形成されている。通過路２７は、長手方向Ｘに間隔をあけて複数配置されている。なお通過路２７として、貫通孔とは異なる構成も採用可能であり、例えば、蓋体２６の下端部とガイド１７との間に隙間又は溝を設け、この隙間又は溝により通過路２７を形成することで、蓋体２６に通過路２７を設けることも可能である。
【００３９】
図２に示すように、アームレール１８は、長手方向Ｘに直交する横断面視において、区画方向Ｙに開口するＣ字状に形成されている。すなわち、アームレール１８の内部空間は、アームレール１８に設けられ長手方向Ｘに延びる開口部を通して外部に連通している。
図１及び図３に示すように、アームレール１８には、パネル１２から被ガイド体４４が離間する方向に張り出させた状態で被ガイド体４４を支持するアーム２８が設けられている。アーム２８は、多関節構造（図示の例では水平多関節構造）とされている。アーム２８は、アームレール１８に装着される装着部２９と、アームレール１８から水平方向に突出する本体部３０と、を備えている。
【００４０】
装着部２９は、アームレール１８内に長手方向Ｘにスライド移動自在に嵌合され、アームレール１８内から開口部を通して区画方向Ｙに突出している。
本体部３０は、装着部２９から水平方向にベッド４５側に向けて突出している。本体部３０は、装着部２９に、鉛直方向Ｚの延びる軸線回りに回転可能に取り付けられている。
【００４１】
本体部３０は、複数のリンク部３１が、回転関節３２を介して接続されてなり、図示の例では、一対のリンク部３１が、回転関節３２を介して鉛直軸回りに回転可能に接続されている。一対のリンク部３１には、装着部２９に接続される基端リンク３３と、機器３５が接続される先端リンク３４と、が備えられている。基端リンク３３の基端部が装着部２９に接続され、先端リンク３４の先端部に機器３５が接続されていて、回転関節３２は、基端リンク３３の先端部と先端リンク３４の基端部とを接続している。
なお、アーム２８を垂直多関節構造とし、回転関節３２が水平軸回りに回動するように構成することも可能である。また本体部３０を、全体として伸縮可能に構成しても良い。
【００４２】
機器３５には、被ガイド体４４が接続される。図示の例では、被ガイド体４４は、本体部３０の内部を通過して機器３５に接続される。なお機器３５としては、例えば電子カルテを表示するディスプレーなどの医療機器がある。この種の機器３５に接続される被ガイド体４４としては、例えば電源線、信号線、ＬＡＮケーブル、酸素等の医療用ガス用のガス管等がある。
【００４３】
以上説明したように、本実施形態に係る簡易構造物１０によれば、ベッド室４０の壁面から延びる被ガイド体４４を、ガイド１７によって案内支持しながら長手方向Ｘに延ばすことが可能になり、被ガイド体４４の長手方向Ｘの位置を、ベッド４５の側方において自由度高く設定することができる。これにより、被ガイド体４４が接続される各種機器３５を、ベッド４５の側方において長手方向Ｘに沿って任意の位置に配置し易くすることができる。その結果、例えば、ベッド４５の使用者Ｐ１に対して医療行為を実施する医師や看護師などの作業者Ｐ２の作業性を向上させることができる。
【００４４】
すなわち図４に示すように、被ガイド体４４や機器３５が、ベッド４５と内壁面４３との間に集中して配置されてしまう場合には、図４に白抜き矢印で示すように、作業者Ｐ２が、ベッド４５と内壁面４３との間で作業したり、この間を通過したりするときに、内壁面４３から延びる被ガイド体４４や、この被ガイド体４４が接続される機器３５、さらには機器３５から患者に接続される被ガイド体４４等が作業者Ｐ２の邪魔になり、作業者Ｐ２による作業がスムーズに実施し難くなるおそれがある。
これに対して、図３に示すように、この簡易構造物１０のように、被ガイド体４４や機器３５を、ベッド４５の側方において長手方向Ｘに沿って任意の位置に配置し易くすることができる場合には、被ガイド体４４や機器３５を、ベッド４５と内壁面４３との間以外の位置にも自由に配置したり移動したりすることができる。例えば、被ガイド体４４や機器３５を、ベッド４５と内壁面４３との間に配置した場合であっても、これらの被ガイド体４４や機器３５を、ベッド４５の長手方向Ｘに沿って、ベッド４５に対して内壁面４３の反対側にまで移動させることができる。これにより、例えば、被ガイド体４４が接続される機器３５や、機器３５から患者に接続される被ガイド体４４等によって、作業者Ｐ２の作業が邪魔されるのを抑えることができる。
【００４５】
また、この簡易構造物１０では、ガイド１７が、ベッド４５の側方でベッド４５の長手方向Ｘに延びているので、被ガイド体４４を、ベッド室４０の床面４２に露出させることなく案内支持することができる。したがって、例えば医療の分野など、床面４２が汚染され易いベッド室４０においても、被ガイド体４４を汚物に曝すことなく、この簡易構造物１０を好適に適用することができる。
【００４６】
さらに、この簡易構造物１０では、ガイド１７を固定手段１１によってベッド室４０の壁面に固定すればよく、被ガイド体４４のレイアウトの自由度を高めつつも施工性を確保し、簡易構造物１０を短期間で設置し易くすることができる。したがって、例えば医療、介護の分野において、特に集中治療室などに代表されるように長期間にわたってベッド室４０の使用を停止することが困難な状況であっても、この簡易構造物１０を導入することができる。
【００４７】
また、ガイド１７がパネル１２を構成しているので、ベッド室４０を仕切るパネル１２内に、被ガイド体４４を挿通させることができる。したがって、例えば、ガイド１７とパネル１２とを別々に設ける場合に比べて、省スペース化及び施工性の向上を図ることができる。
さらに、パネル１２の両側部が、支柱１３及び固定部材１４に固定されているので、パネル１２を安定して支持することができる。
さらにまた、パネル１２にアーム２８が設けられているので、ガイド１７により案内支持された被ガイド体４４を、アーム２８によって水平方位に張り出させた状態で支持することが可能になり、被ガイド体４４のレイアウトの自由度を一層高めることができる。
【００４８】
また、パネル１２の少なくとも第１の側面に、案内路２４に通ずるガイド開口２５が設けられている。したがって、この簡易構造物１０をベッド室４０内に設置した後であっても、簡易構造物１０を分解することなく、被ガイド体４４を案内路２４内に、ガイド開口２５を通して区画方向Ｙの外側から挿入して被ガイド体４４を増設すること等が可能になり、施工性を確保することができる。
さらに、蓋体２６がガイド開口２５を開閉するので、ガイド開口２５を開放しておく必要がない場合には、案内路２４内を蓋体２６により閉塞しておくことが可能になり、例えば、案内路２４内の意図せぬ汚染を抑制すること等ができる。
さらにまた、蓋体２６に通過路２７が設けられているので、蓋体２６を完全に開放せずに被ガイド体４４の大部分を蓋体２６によって被覆した状態を維持したまま、案内路２４内の被ガイド体４４を蓋体２６の外部に直接、引き出すことができる。これにより、被ガイド体４４の意図せぬ汚染を確実に抑制することができる。
【００４９】
（第２実施形態）
次に、本発明に係る第２実施形態の簡易構造物５０を、図５を参照して説明する。
なお、この第２実施形態においては、第１実施形態における構成要素と同一の部分については同一の符号を付し、その説明を省略し、異なる点についてのみ説明する。
【００５０】
本実施形態の簡易構造物５０では、ガイド１７が、案内路２４から被ガイド体４４を区画方向Ｙの両側に向けて引き出し可能に形成されている。このような構成は、例えば、前記第１実施形態に示したガイド１７を区画方向Ｙに一対、反転させた状態で設けることにより実現することができる。また、前記第１実施形態に示したガイド１７において区画方向Ｙの両側に位置する部分それぞれに、通過路２７を設けることによっても実現することができる。さらに、前記第１実施形態に示したガイド１７において区画方向Ｙの両側に位置する部分それぞれに、外部からケーブルを接続可能なコネクタを設けた構成を採用することもできる。この場合、ケーブルをコネクタに接続することで、ケーブルがコネクタを介して被ガイド体４４に接続されるように構成することが可能である。
【００５１】
以上説明したように、本実施形態に係る簡易構造物５０によれば、ガイド１７が、案内路２４から被ガイド体４４を、区画方向Ｙの両側に向けて引き出し可能に形成されているので、ベッド室４０内において、パネル１２により区画方向Ｙに区画された両方の個別空間４６に対して、被ガイド体４４を引き出すことができる。
【００５２】
（第３実施形態）
次に、本発明に係る第３実施形態の簡易構造物６０を、図６を参照して説明する。
なお、この第３実施形態においては、第１実施形態における構成要素と同一の部分については同一の符号を付し、その説明を省略し、異なる点についてのみ説明する。
【００５３】
本実施形態の簡易構造物６０では、固定手段１１は、補強支柱６１をさらに備えている。補強支柱６１は、パネル１２内の、支柱１３と固定部材１４（内壁面４３）との間の位置に配置され、支柱１３及び固定部材１４とともにパネル１２を支持する。補強支柱６１は、ガイド１７を鉛直方向Ｚに貫通している。補強支柱６１は、ガイド１７よりも区画方向Ｙに小さく、補強支柱６１は、鉛直方向Ｚの全長にわたって、パネル１２よりも区画方向Ｙに細い。
【００５４】
本実施形態の簡易構造物６０では、案内路２４の一部である第１部分路６２が、パネル１２内でかつ補強支柱６１の側方の位置に設けられ、第２部分路６３が、補強支柱６１内に設けられている。
第１部分路６２は、パネル１２内において、補強支柱６１と、ガイド１７又は蓋体２６と、の間に、区画方向Ｙに挟まれるように配置されている。第２部分路６３は、補強支柱６１の内部と、この補強支柱６１を長手方向Ｘに貫通する貫通孔６１ａと、により構成されている。
【００５５】
なお本実施形態では、補強支柱６１が、鉛直方向Ｚの全長にわたってパネル１２より細くなっていることで、第１部分路６２がパネル１２内に設けられているが、本発明はこれに限られない。例えば、補強支柱６１を長手方向Ｘに、パネル１２とほぼ同じ太さに形成する一方、補強支柱６１の鉛直方向Ｚの一部分を限定して欠いたり細くしたりして、この一部分と、ガイド１７又は蓋体２６と、の間に、第１部分路６２を形成してもよい。
【００５６】
以上説明したように、本実施形態に係る簡易構造物６０によれば、補強支柱６１がパネル１２を支持しているので、パネル１２を一層安定して支持することができる。
また、パネル１２の内部で補強支柱６１の側方の位置や補強支柱６１の内部に案内路２４の一部がそれぞれ設けられている。したがって、補強支柱６１が設けられているパネル１２であっても、被ガイド体４４が、パネル１２内を長手方向Ｘに進行するのを、補強支柱６１によって阻害されるのを抑制することが可能になり、被ガイド体４４のレイアウトの自由度を確実に高めることができる。
【００５７】
なお、本発明の技術的範囲は前記実施形態に限定されるものではなく、本発明の趣旨を逸脱しない範囲において種々の変更を加えることが可能である。
【００５８】
前記実施形態では、パネル１２が柱状の固定部材１４を介してベッド室４０の内壁面４３に固定されているが、本発明はこれに限られない。例えば、固定部材１４としてアンカーボルト等の固定手段１１を採用することが可能である。同様に、パネル１２を、支柱１３を介して天井や床面４２に固定するのに代えて、アンカーボルト等の固定手段１１により天井や床面４２に直接、固定してもよい。
【００５９】
前記実施形態では、パネル１２の一部をガイド１７によって構成しているが、本発明はこれに限られない。例えば、パネル１２の全体をガイド１７として機能させることも可能である。
【００６０】
簡易構造物１０に、使用者Ｐ１や作業者Ｐ２が区画方向Ｙに通過可能な通用口が設けられていてもよい。簡易構造物１０を内壁面４３から離間して配置した場合、簡易構造物１０と内壁面４３との間を通用口として使用することも可能である。
【００６１】
ガイド開口２５及び蓋体２６がなくてもよい。アーム２８及びアームレール１８がなくてもよい。窓部１６、照明２１がなくてもよい。
【００６２】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６３】
１０、５０、６０       簡易構造物
１１   固定手段
１２   パネル
１３   支柱
１７   ガイド
２４   案内路
２５   ガイド開口（開口）
２６   蓋体
２７   通過路
２８   アーム
４０   ベッド室
４２   床面
４４   被ガイド体
４５   ベッド
６１   補強支柱
【図１】
0006570882.tif 000002
【図２】
0006570882.tif 000003
【図３】
0006570882.tif 000004
【図４】
0006570882.tif 000005
【図５】
0006570882.tif 000006
【図６】
0006570882.tif 000007